(57)【特許請求の範囲】
【請求項１】
表示面を有する表示ユニットを備えた壁掛け機器の表示装置であって、表示ユニットのケース本体を２つのケースをそれぞれの合せ部で合わせて互いに固定して構成し、一方及び他方のケースのそれぞれの左右側壁部の合せ部中央に半円形状の切欠き部を形成し、一方のケースの合せ部に、切欠き部を中にして上下にスリットを形成してばね性を有する片部を構成し、２つのケースをそれぞれの合せ部で合わせた状態で一方及び他方の切欠き部を合わせて支承孔を形成し、機器本体のケース本体に表示ユニット収容凹部を形成し、この表示ユニット収容凹部の両側壁部に支軸部を突設し、表示ユニットを表示ユニット収容凹部に入れて、片部を支軸部に当てて押し込むことにより、片部を撓ませて、支軸部を支承孔に挿入して、表示ユニットを表示ユニット収容凹部に収容することにより、左右の支軸部を支点にして表示ユニットの中央を通る水平方向の軸線を中心に上下方向に傾動可能に表示ユニットを構成したことを特徴とする壁掛け機器の表示装置。
【請求項２】
表示ユニットに円弧状に配列された複数のユニット側ラチェット歯部を設け、機器本体のケース本体にユニット側ラチェット歯部に噛み合う本体側ラチェット歯部を設けた請求項１に記載の壁掛け機器の表示装置。
【請求項３】
機器本体がテレビドアホン装置のモニター親機の機器本体であり、表示ユニットがテレビドアホン装置のモニター親機の表示ユニットである請求項１又は２に記載の壁掛け機器の表示装置。
【発明の詳細な説明】
【０００１】
【発明の属する技術分野】
本発明は、テレビドアホン装置のモニター親機のような壁掛け機器に係り、特に、表示面の角度調整が可能な壁掛け機器の表示装置に関するものである。
【０００２】
【従来の技術】
従来のこの種の壁掛け機器、特にテレビドアホン装置のモニター親機にあっては、図１０に示すように液晶表示装置６０を備えており、カメラ付玄関子機（図示せず）のカメラで写された画像を液晶表示装置６０でモニタするようにしている。この液晶表示装置６０は機構的に表示角度を調整する構造ではなく、映像補正ボタン６１を操作することにより電気的にコントラストを変えて視野角を調整していた。
【０００３】
【発明が解決しようとする課題】
しかしながら、上記した従来のテレビドアホン装置のモニター親機における液晶表示装置６０にあっては、電気的なコントラスト調整のために、上下の視野角調整が狭く、背の高い人や子供などの背の低い人に見にくいという問題点があった。
【０００４】
なお、パソコン等の表示角度調整構造として図１１に示すように機器本体６２に液晶表示装置６３を開閉可能に装着したものがあるが、この形式を壁掛け機器に応用した場合には、専有面積が広くなったり、上か下の一方向にしか角度調整ができず、壁からの突出量も大きくなるという問題点があった。
【０００５】
本発明は、上記した従来の問題点に着目して成されたものであって、その目的とするところは、表示面の表示角度を容易に変更することができて、容易に使用者の背の高さに合わせて表示の角度が調整でき、また、壁面の占有面積も従来の壁掛け機器と同様にでき、表示ユニットの壁面からの突出量も最小に押さえることができる壁掛け機器の表示装置を提供することにある。
【００１１】
【課題を解決するための手段】
上記の目的を達成するために、請求項１の発明に係る壁掛け機器の表示装置は、表示面を有する表示ユニットを備えた壁掛け機器の表示装置であって、表示ユニットのケース本体を２つのケースをそれぞれの合せ部で合わせて互いに固定して構成し、一方及び他方のケースのそれぞれの左右側壁部の合せ部中央に半円形状の切欠き部を形成し、一方のケースの合せ部に、切欠き部を中にして上下にスリットを形成してばね性を有する片部を構成し、２つのケースをそれぞれの合せ部で合わせた状態で一方及び他方の切欠き部を合わせて支承孔を形成し、機器本体のケース本体に表示ユニット収容凹部を形成し、この表示ユニット収容凹部の両側壁部に支軸部を突設し、表示ユニットを表示ユニット収容凹部に入れて、片部を支軸部に当てて押し込むことにより、片部を撓ませて、支軸部を支承孔に挿入して、表示ユニットを表示ユニット収容凹部に収容することにより、左右の支軸部を支点にして表示ユニットの中央を通る水平方向の軸線を中心に上下方向に傾動可能に表示ユニットを構成したことを特徴とする。
【００１２】
また、上記の目的を達成するために、請求項２の発明に係る壁掛け機器の表示装置は、請求項１に記載の壁掛け機器の表示装置において、表示ユニットに円弧状に配列された複数のユニット側ラチェット歯部を設け、機器本体のケース本体にユニット側ラチェット歯部に噛み合う本体側ラチェット歯部を設けた。
【００１３】
また、上記の目的を達成するために、請求項３の発明に係る壁掛け機器の表示装置は、請求項１又は２に記載の壁掛け機器の表示装置において、機器本体がテレビドアホン装置のモニター親機の機器本体であり、表示ユニットがテレビドアホン装置のモニター親機の表示ユニットである。
【００１４】
本発明に係る壁掛け機器の表示装置にあっては、壁掛け機器の表示面の表示角度を容易に変更することができて、容易に使用者の背の高さに合わせて表示の角度を調整できる。また、壁面の占有面積も従来の壁掛け機器と同様にでき、表示ユニットの壁面からの突出量も最小に押さえることができる。
【００２６】
【発明の実施の形態】
請求項１の発明に係る壁掛け機器の表示装置は、表示面を有する表示ユニットを備えた壁掛け機器の表示装置であって、表示ユニットのケース本体を２つのケースをそれぞれの合せ部で合わせて互いに固定して構成し、一方及び他方のケースのそれぞれの左右側壁部の合せ部中央に半円形状の切欠き部を形成し、一方のケースの合せ部に、切欠き部を中にして上下にスリットを形成してばね性を有する片部を構成し、２つのケースをそれぞれの合せ部で合わせた状態で一方及び他方の切欠き部を合わせて支承孔を形成し、機器本体のケース本体に表示ユニット収容凹部を形成し、この表示ユニット収容凹部の両側壁部に支軸部を突設し、表示ユニットを表示ユニット収容凹部に入れて、片部を支軸部に当てて押し込むことにより、片部を撓ませて、支軸部を支承孔に挿入して、表示ユニットを表示ユニット収容凹部に収容することにより、左右の支軸部を支点にして表示ユニットの中央を通る水平方向の軸線を中心に上下方向に傾動可能に表示ユニットを構成したことを特徴とする。
【００２７】
かかる構成により、容易に使用者の背の高さに合わせて表示の角度を調整できる。また、壁面の占有面積も従来の壁掛け機器と同様にでき、表示ユニットの壁面からの突出量も最小に押さえることができるばかりか、支承孔を、２つのケースをそれぞれの合せ部で合わせた状態で一方及び他方の切欠き部を合わせて形成し、また、機器本体のケース本体に表示ユニット収容凹部の両側壁部に支軸部を突設し、表示ユニットを表示ユニット収容凹部に入れて、片部を支軸部に当てて押し込むことにより、片部を撓ませて、支軸部を支承孔に挿入して、表示ユニットを表示ユニット収容凹部に収容して組み立てることができて、片部のばね反力を表示ユニットに作用させて、部品点数を増やさずに角度調整の押す感触を調整できる。
【００２８】
また、請求項２の発明に係る壁掛け機器の表示装置は、請求項１に記載の壁掛け機器の表示装置において、表示ユニットに円弧状に配列された複数のユニット側ラチェット歯部を設け、機器本体のケース本体にユニット側ラチェット歯部に噛み合う本体側ラチェット歯部を設けた。
【００２９】
かかる構成により、請求項１に係る発明の作用効果と同様な作用効果を奏し得るばかりか、表示ユニットの傾動姿勢を逐次保持して表示面を角度調整することができる。このため、容易に使用者の背の高さに合わせて表示の角度を調整できる。
【００３０】
また、請求項３の発明に係る壁掛け機器の表示装置は、請求項１又は２に記載の壁掛け機器の表示装置において、機器本体がテレビドアホン装置のモニター親機の機器本体であり、表示ユニットがテレビドアホン装置のモニター親機の表示ユニットである。
【００３１】
かかる構成により、テレビドアホン装置のモニター親機の表示面の表示角度を容易に変更できて、容易に使用者の背の高さに合わせて表示の角度を調整できるし、また、壁面の占有面積も従来の壁掛け機器と同様にでき、表示ユニットの壁面からの突出量も最小に押さえることができる。
【００３２】
以下、本発明の実施の形態を図面に基づいて説明する。
【００３３】
図１は本発明に係る壁掛け機器の表示装置として表示装置を備えたテレビドアホン装置のモニター親機の斜視図、図２は同モニター親機において表示ユニットを除いた状態の分解状態の斜視図、図３は表示ユニットの斜視図である。
【００３４】
壁掛け機器の一例であるテレビドアホン装置のモニター親機１は、機器本体３と、表示ユニット４と、通話器５とから構成してある。そして、機器本体３は、親機下ケース６と親機上ケース７とを組み合わせたケース本体８を備えており、このケース本体８内に電子機器（図示せず）を収納している。
【００３５】
親機下ケース６には、図４に示すように上面が開放した長方形のボックス形状をしており、その左側が通話機器収納部２に、その右側が機器搭載部１０にそれぞれしてある。また、親機下ケース６の４つの隅角部には固着ねじの挿通孔（図示せず）が設けてある。
【００３６】
また、親機上ケース７には、図４、図７乃至図９に示すように、その左面部に通話機セット部１１が、その右面部の上側に位置させて表示ユニット収容凹部１２がそれぞれ形成してある。また、右面部には、表示ユニット収容凹部１２の下方に位置させてスイッチ装着部１３が形成してある。
【００３７】
表示ユニット収容凹部１２は、上、下側壁部１４、１５と、左、右側壁部１６、１７と、底面部１８とを有しており、この底面部１８の中央部の左右には、底面部１８の面部１８ａより一段低いラチェットアーム形成部１９Ｌ、１９Ｒにしてあり、これらラチェットアーム形成部１９Ｌ、１９Ｒには、ラチェットアーム２０Ｌ、２０Ｒが、片持状態で底面部１８と一体に形成してあり、これら左右のラチェットアーム２０Ｌ、２０Ｒの先端部には１つのラチェット歯部（機器側ラチェット歯部）２１Ｌ、２１Ｒが形成してある。この場合、左右のラチェットアーム２０Ｌ、２０Ｒの形成時にラチェットアーム形成部１９Ｌ、１９Ｒには開口部２２Ｌ、２２Ｒが形成される。また、底面部１８の面部１８ａの下側には左右方向に沿うて凸条からなるストッパー２４が形成してある。
【００３８】
また、表示ユニット収容凹部１２の左、右側壁部１６、１７には、その上下方向では中央に且つ前後方向では前寄りに位置させて円柱状の支軸部２５Ｌ、２５Ｒが突設してある。また、親機上ケース７の４つの隅角部には固着ねじの挿通孔（図示せず）が設けてある。
【００３９】
そして、親機下ケース６に親機上ケース７をそれぞれの合せ部２６、２７で合せて、挿通孔に挿通した固着ねじ（図示せず）を取付座部に螺合させてケース本体８が構成してある。
【００４０】
また、表示ユニット４は、図３に示すように表示下ケース３０と表示上ケース３１とを組み合わせたケース本体３２を備えており、このケース本体３２内に液晶駆動機器（図示せず）を収納して表示ユニット４が構成してある。そして、表示ユニット４は、その前面に液晶表示面（表示面）４Ｓを有している。
【００４１】
すなわち、表示下ケース３０は、図４に示すように上面が開放した方形のボックス形状であって、上下側壁部３３、３４と、左、右側壁部３５、３６と、底面部３７Ａとを有しており、この底面部３７Ａの中央部は、底面部３７Ａの面部３７ａより後方に膨出した膨出部３８が形成してあり、この膨出部３８の左、右側端部には円弧状のラチェット受部３９Ｌ、３９Ｒが形成してある。これら左右のラチェット受部３９Ｌ、３９Ｒの縁部には複数のラチェット歯部（ユニット側ラチェット歯部）４０Ｌ、４０Ｒが形成してある。
【００４２】
また、表示下ケース３０の左、右側壁部３５、３６には、その縁部３５ａ、３６ａの中央に位置させて半円形状の切欠き部４１Ｌ、４１Ｒが形成してあり、また、左、右側壁部３５、３６には、切欠き部４１Ｌ、４１Ｒを挟んだ上下に位置させてスリット３７が形成してあり、これらのスリット３７は、左、右側壁部３５、３６の縁部３５ａ、３６ａから後方に向かって切り込まれている。したがって、上下のスリット３７で挟まれた部分は、切欠き部４１Ｌ、４１Ｒを有する片部４２Ｌ、４２Ｒを構成しており、これらの片部４２Ｌ、４２Ｒは左、右側壁部３５、３６の外面より約０．２ｍｍ程度外方に突出するように傾斜している。また、表示下ケース３０の４つの隅角部には固着ねじの挿通孔（図示せず）が設けてある。
【００４３】
表示上ケース３１は、図３に示すように方形の枠形状であって、上、下側壁部４３、４４と、左、右側壁部４５、４６と、面部４７とを有しており、この面部４７は、四角形状の窓部４８が形成してある。また、表示上ケース３１の左、右側壁部４５、４６には、その縁部４５ａ、４６ａの中央に位置させて半円形状の切欠き部４９Ｌ、４９Ｒが形成してある。また、表示上ケース３１の４つの隅角部には固着ねじの取付座部（図示せず）が設けてある。
【００４４】
そして、表示下ケース３０に表示上ケース３１をそれぞれの合せ部３０Ａ、３１Ａで合せて、挿通孔に挿通した固着ねじ（図示せず）を取付座部に螺合させてケース本体３２が構成してあり、半円形状の切欠き部４１Ｌ、４１Ｒと半円形状の切欠き部４９Ｌ、４９Ｒとが合わされて円形状の支承孔５０Ｌ、５０Ｒを構成している。
【００４５】
そして、ケース本体３２内に液晶駆動機器（図示せず）を収納して表示ユニット４が構成してあるが、液晶表示部材５１は、表示上ケース３１の四角形状の窓部４８に装着してあって、液晶表示面（表示面）４Ｓを形成している。
【００４６】
上記のように構成された表示ユニット４は、その後面部の左右に、円弧状のラチェット受部３９Ｌ、３９Ｒを介してラチェット歯部４０Ｌ、４０Ｒを配し、また、左、右側面部の中央に支承孔５０Ｌ、５０Ｒを配していて、支承孔５０Ｌ、５０Ｒを構成する切欠き部４１Ｌ、４１Ｒを有する片部４２Ｌ、４２Ｒが左、右側壁部３５、３６の外面３５ｂ、３６ｂより約０．２ｍｍ程度外方に突出するように傾斜している。
【００４７】
そして、表示ユニット４を、その後部から表示ユニット収容凹部１２に入れて、片部４２Ｌ、４２Ｒを、表示ユニット収容凹部１２の左、右側壁部１６、１７に設けた支軸部２５Ｌ、２５Ｒに当てて押し込むことにより、片部４２Ｌ、４２Ｒを撓ませて、支軸部２５Ｌ、２５Ｒを支承孔５０Ｌ、５０Ｒに挿入して、表示ユニット４が表示ユニット収容凹部１２に収容してあり、この場合、ラチェット歯部４０Ｌ、４０Ｒはラチェット歯部２１Ｌ、２１Ｒに噛み合っている。ラチェット歯部４０Ｌ、４０Ｒとラチェット歯部２１Ｌ、２１Ｒとで傾動姿勢保持手段を構成している。
【００４８】
このように表示ユニット４が表示ユニット収容凹部１２に収容された状態では、表示ユニット４は、左右の支軸部２５Ｌ、２５Ｒを支点（傾動中心Ｏ）にして、表示ユニット（液晶表示面４Ｓ）４の中央を通る水平方向の軸線イを中心に上下方向に傾動可能であり、傾動中心Ｏは軸線イ上に位置している。
【００４９】
そして、図２及び図６に示すように壁面Ｆに取付金具６０を固定して、この取付金具６０に、モニター親機１の背面の係合部（図示せず）を係合可能に係合して、このモニター親機１が壁面Ｆに取り付けられる。この場合、モニター親機１の設置位置は床面から１３０ｃｍ〜１５０ｃｍの高さである。
【００５０】
このモニター親機１が壁面Ｆに取り付けられて、角度調整をしない状態では、図５に示すように表示ユニット４の姿勢は垂直状態である。
【００５１】
そして、表示ユニット４の水平方向の軸線イより下側部位４Ａを指で押すことにより、表示ユニット４は、図６の（１）に示すように左右の支軸部２５Ｌ、２５Ｒを支点にして、表示ユニット４の水平方向の軸線イ、すなわち傾動中心Ｏを中心に下向き方向に傾動する。この場合、ラチェット歯部２１Ｌ、２１Ｒが複数のラチェット歯部４０Ｌ、４０Ｒに１歯づつ噛み合うために、表示ユニット４は、噛み合うラチェット歯部４０Ｌ、４０Ｒの数と同じ数、その傾き角度を段階的に増して行き、最終的には、表示ユニット４の背面部（後面部）の下側部位４Ｃがストッパー２４に接する。この最大の下向きの傾き角度αは約１４度である。また、ラチェット歯部２１Ｌ、２１Ｒが複数のラチェット歯部４０Ｌ、４０Ｒに１歯づつ噛み合うために、その傾き角度を段階的に保持することができて、角度調整位置が保持される。
【００５２】
また、表示ユニット４を角度調整をしない垂直状態で、表示ユニット４の水平方向の軸線イより上側部位４Ｂを指で押すことにより、表示ユニット４は、図６の（２）に示すように左右の支軸部２５Ｌ、２５Ｒを支点にして、表示ユニット４の水平方向の軸線イ、すなわち傾動中心Ｏを中心に上向き方向に傾動する。この場合、ラチェット歯部２１Ｌ、２１Ｒが複数のラチェット歯部４０Ｌ、４０Ｒに１歯づつ噛み合うために、表示ユニット４は、噛み合うラチェット歯部４０Ｌ、４０Ｒの数と同じ数、その傾き角度を段階的に増して行き、最終的には、表示ユニット４の背面部（後面部）の上側部位４Ｄが表示ユニット収容凹部１２の底面部１８に接する。この最大の上向きの傾き角度βは約２０度である。また、ラチェット歯部２１Ｌ、２１Ｒが複数のラチェット歯部４０Ｌ、４０Ｒに１歯づつ噛み合うために、その傾き角度を段階的に保持することができて、角度調整位置が保持される。
【００５３】
上記したように、表示ユニット４の下向きの最大傾き角度αを約１４度に設定したのは、モニター親機１の設置位置が床面６１から１３０ｃｍ〜１５０ｃｍの高さであることから、背の低い使用者、例えば子供が壁面より５０ｃｍ離れた位置で、モニター親機１を見た場合、表示ユニット４の液晶表示面４Ｓがよく見えるようなるからである。
【００５４】
また、表示ユニット４の上向きの最大傾き角度βを約２０度に設定したのは、モニター親機１の設置位置が床面６１から１３０ｃｍ〜１５０ｃｍの高さであることから、背の高い使用者、例えば大人が壁面より５０ｃｍ離れた位置で、モニター親機１を見た場合、表示ユニット４の液晶表示面４Ｓがよく見えるようになるからである。
【００５５】
そして、表示ユニット４の水平方向の軸線イ、すなわち傾動中心Ｏを左右の支軸部２５Ｌ、２５Ｒにすることで、角度調整をして表示ユニット４を上向きにしたとき、この表示ユニット４の傾動中心Ｏより上部が表示ユニット収容部１２内に入り込み、表示ユニット４の傾動中心Ｏより下部が表示ユニット収容部１２より飛び出すようになる。また、角度調整をして表示ユニット４を下向きにしたとき、この表示ユニット４の傾動中心Ｏより下部が表示ユニット収容部１２内に入り込み、表示ユニット４の傾動中心Ｏより上部が表示ユニット収容部１２より飛び出すようになる。
【００５６】
この場合、表示ユニット４の上下角度調整の中心（液晶表示面４Ｓの中央を通る水平方向の軸線イ）が表示ユニット４の傾動中心Ｏにあるために、表示ユニット４の表示ユニット収容部１２への入り込みが最小になり、また飛び出しも最小となる。
【００５７】
上記したように本発明の実施の形態例にあっては、表示面４Ｓの表示角度を容易に変更することができて、容易に使用者の背の高さに合わせて表示の角度を調整できる。また、壁面Ｆの占有面積も従来のテレビホン装置（壁掛け機器）と同様にでき、表示ユニット４の壁面Ｆからの突出量も最小に押さえることができる。
【００５８】
また、表示面４Ｓの上下方向の傾動中心Ｏを、表示面４Ｓの中央を通る水平方向の軸線イ上にし、表示面４Ｓの上下の調整で壁面Ｆからの突出量と表示ユニット収容凹部１２内への入り込みを最小にすることで、壁面取付けで邪魔になり難く、また、ケース本体内の電気部品スペースを広く取ることができる。
【００５９】
また、表示ユニット４が傾動する場合、本体側ラチェット歯部２１Ｌ、２１Ｒが複数のラチェット歯部４０Ｌ、４０Ｒに１歯づつ噛み合うために、表示ユニット４は、噛み合うラチェット歯の数と同じ数、その傾き角度を段階的に増して行き、傾動姿勢を逐次保持して表示面４Ｓを角度調整することができる。このために、容易に使用者の背の高さに合わせて表示の角度を調整できる。
【００６０】
しかも、傾動姿勢保持手段を、ユニット側ラチェット歯部２１Ｌ、２１Ｒと、ユニット側ラチェット歯部２１Ｌ、２１Ｒに噛み合う本体側ラチェット歯部４０Ｌ、４０Ｒとで構成したので、部品点数を増やさずに実施できる。
【００６１】
また、支承孔５０Ｌ、５０Ｒを、２つのケース（表示下ケース３０と表示上ケース３１）をそれぞれの合せ部３０Ａ、３０Ｂで合わせた状態で一方及び他方の切欠き部４１Ｌ、４１Ｒ、４９Ｌ、４９Ｒを合わせて形成し、また、機器本体のケース本体８に表示ユニット収容凹部１２の左、右側壁部１６、１７に支軸部２５Ｌ、２５Ｒを突設し、表示ユニット４を表示ユニット収容凹部１２に入れて、片部４２Ｌ、４２Ｒを支軸部２５Ｌ、２５Ｒに当てて押し込むことにより、片部４２Ｌ、４２Ｒを撓ませて、支軸部２５Ｌ、２５Ｒを支承孔５０Ｌ、５０Ｒに挿入して、表示ユニット４を表示ユニット収容凹部１２に収容して組み立てることができて、片部４２Ｌ、４２Ｒのばね反力を表示ユニット４に作用させて、部品点数を増やさずに角度調整の押す感触を調整できる。
【００６６】
【発明の効果】
以上説明したように、本発明に係る壁掛け機器の表示装置によれば、表示面の表示角度を容易に変更することができ、支承孔を、２つのケースをそれぞれの合せ部で合わせた状態で一方及び他方の切欠き部を合わせて形成し、また、機器本体のケース本体に表示ユニット収容凹部の両側壁部に支軸部を突設し、表示ユニットを表示ユニット収容凹部に入れて、片部を支軸部に当てて押し込むことにより、片部を撓ませて、支軸部を支承孔に挿入して、表示ユニットを表示ユニット収容凹部に収容して組み立てることができて、片部のばね反力を表示ユニットに作用させて、部品点数を増やさずに角度調整の押す感触を調整できる。
【００６７】
また、テレビドアホン装置のモニター親機の表示面の表示角度を容易に変更できて、容易に使用者の背の高さに合わせて表示の角度を調整でき、また、壁面の占有面積も従来のモニター親機と同様にでき、表示ユニットの壁面からの突出量も最小に押さえることができる。
【図面の簡単な説明】
【図１】本発明に係る壁掛け機器の表示装置としての表示装置を備えたテレビドアホン装置のモニター親機の斜視図
【図２】同モニター親機において表示ユニットを除いた状態の分解状態の斜視図
【図３】表示ユニットの斜視図
【図４】同モニタ親機の断面図
【図５】同モニタ親機における表示ユニット垂直状態の説明図
【図６】（１）は同モニタ親機における表示ユニット下向き角度調整状態の説明図
（２）は同モニタ親機における表示ユニット上向き角度調整状態の説明図
【図７】表示上ケースの正面図
【図８】図７のＡ−Ａ線に沿う断面図
【図９】図７のＢ−Ｂ線に沿う断面図
【図１０】従来の表示装置を有するモニタ親機の斜視図
【図１１】パソコンの斜視図
【符号の説明】
１    モニタ親機
３    機器本体
４    表示ユニット
４Ｓ  液晶表示面（表示面）
６    親機下ケース
７    親機上ケース
８    ケース本体
１２  表示ユニット収容凹部
１６  左側壁部
１７  右側壁部
２１Ｌ  ラチェット歯部（ユニット側ラチェット歯部）（傾動姿勢保持手段）
２１Ｒ  ラチェット歯部（ユニット側ラチェット歯部）（傾動姿勢保持手段）
４２Ｌ  片部
４２Ｒ  片部
２５Ｌ  支軸部
２５Ｒ  支軸部
３０  表示下ケース
３１  表示上ケース
４０Ｌ  ラチェット歯部（機器側ラチェット歯部）（傾動姿勢保持手段）
４０Ｒ  ラチェット歯部（機器側ラチェット歯部）（傾動姿勢保持手段）
４１Ｌ  切欠き部
４１Ｒ  切欠き部
５０Ｌ  支承孔
５０Ｒ  支承孔
【図１】
0004097334.tif 000002
【図２】
0004097334.tif 000003
【図３】
0004097334.tif 000004
【図５】
0004097334.tif 000005
【図６】
0004097334.tif 000006
【図７】
0004097334.tif 000007
【図８】
0004097334.tif 000008
【図９】
0004097334.tif 000009
【図１０】
0004097334.tif 000010
【図１１】
0004097334.tif 000011
【図４】
0004097334.tif 000012